(57)【要約】【課題】カード保有者に対してカードが利用できることの動的な告知を可能とするカード及びそれを機能させる為のカードシステムを提供することを目的とする。【解決手段】電磁波、音波又は光線を受信することによって電力を供給する受信手段と、前記受信手段が供給した電力に基づいて動的な稼働を行う稼働手段とを有するカードを稼働させる為のカードシステムであって、電磁波、音波又は光線の発信制御を行う制御装置と、前記制御装置に基づいて、電磁波、音波又は光線の発信を行う発信装置とを有するカードシステムである。【選択図】　図１
2004054309.tif 000002
【特許請求の範囲】
【請求項１】
電磁波、音波又は光線を受信することによってカードに対して電力を供給する受信手段と、
前記受信手段が供給した電力に基づいて動的な稼働を行う稼働手段とを
有することを特徴とするカード。
【請求項２】
発信手段が供給する電力を受信することによってカードに対して電力を供給する受信手段と、
前記受信手段が供給した電力に基づいて動的な稼働を行う稼働手段とを
有することを特徴とするカード。
【請求項３】
前記動的な稼働として、
発光、点滅、文字或いは図形の表示、音声発信又は振動のいずれかを含む
ことを特徴とする請求項１又は請求項２に記載のカード。
【請求項４】
前記動的な稼働として発光、点滅、又は文字或いは図形の表示を行う際には、前記稼働手段は、発光ダイオード或いは電子ペーパーであって、
前記発光ダイオード或いは電子ペーパーを発光、点滅、又は文字或いは図形の表示を行うことによって動的な稼働を行う
ことを特徴とする請求項１から請求項３のいずれかに記載のカード。
【請求項５】
前記動的な稼働として音声発信を行う際には、
前記稼働手段は、小型スピーカーであって、
前記小型スピーカーから音声発信を行うことによって動的な稼働を行う
ことを特徴とする請求項１から請求項３のいずれかに記載のカード。
【請求項６】
前記動的な稼働として振動を行う際には、
前記稼働手段は、極小振動モーターであって、
前記極小振動モータを振動させることによって動的な稼働を行う
ことを特徴とする請求項１から請求項３のいずれかに記載のカード。
【請求項７】
前記カードは、
前記受信手段に於いて更に識別情報を受信し、受信した識別情報に基づいて前記稼働手段の動作の有無又は動作パターンを指示する信号を発する指令手段を
有することを特徴とする請求項１から請求項６のいずれかに記載のカード。
【請求項８】
前記カードを接触又は非接触で読み取り／書き込む為の設定用装置から受信した情報に基づいて、前記指令手段の動作の有無又は動作パターンの変更を行う設定内容変更手段を
有することを特徴とする請求項１から請求項７のいずれかに記載のカード。
【請求項９】
請求項１から請求項８のいずれかに記載のカードを稼働させる為のカードシステムであって、
電磁波、音波又は光線の発信制御を行う制御装置と、
前記制御装置に基づいて、電磁波、音波又は光線の発信を行う発信装置と
を有することを特徴とするカードシステム。
【請求項１０】
請求項１から請求項８のいずれかに記載のカードを稼働させる為のカードシステムであって、
前記カードと接触することにより供給する電力の制御を行う制御装置と、
前記カードと接触することにより前記カードに対して電力を供給する発信装置とを
有することを特徴とするカードシステム。
【請求項１１】
前記カードシステムは、
前記カードの動作の有無、動作パターンの変更を前記カードに行わせる設定用装置を
有することを特徴とする請求項９又は請求項１０に記載のカードシステム。
【発明の詳細な説明】
【０００１】
【発明の属する技術分野】
カード保有者に対してカードが利用できることの動的な告知を可能とするカード及びそれを機能させる為のカードシステム。
【０００２】
【従来の技術】
クレジットカード、デビットカード、電子マネーカード、何らかの会員カード（以下、本明細書に於いてカードとする）を保有するカード保有者は、そのカードが店舗等に於いて利用できるか否かの情報を、
（１）カード本体の表面上に印刷された店舗の名称や商標等、熱処理方式によるリライト表示等
（２）店舗やレジ周辺に添付されたカード会社や店舗等のステッカーや、カード保有者が事前に調べた情報、チラシ等の広告媒体、携帯電話に着信した利用可能を告知する電子メール等
で、知ることが出来、カード保有者がカード利用の際の目安としている。
【０００３】
【発明が解決しようとする課題】
即ち従来の方法は、カード保有者がカード本体や店舗等で利用できるか否かを確認する必要があり、カード保有者がその情報を認識している必要がある。つまりカード保有者がその情報を認識していない場合、例えばクレジットカードで購入することを希望するカード保有者が、ある店舗でカードを利用できることを知らない場合には、カード保有者はその店舗で購入せずに、自らが知っている他のカード利用が行える店舗で購入することとなる。又ある店舗で気に入った商品を見つけたとしても、カードで購入できるか否かを知らない為に、店員に尋ねるのを憚り、カード保有者がその商品の購入をあきらめる場合もある。
【０００４】
このように、カード本体に表示、印刷された情報や店舗等に添付されたステッカー等の静的な情報、即ちカード保有者が予め認識していることを前提とするカードでは、カード保有者の経済活動（商品の購入やサービスの利用等）の選択枝を狭めていることとなる。
【０００５】
【課題を解決するための手段】
そこで本発明者は上記問題点に鑑み、店舗等の内部又は周辺にカード保有者が位置する場合には、カードが利用できることをカード本体がカード保有者に対して動的に告知するカード及びそれを機能させる為のカードシステムを発明した。
【０００６】
請求項１の発明は、
電磁波、音波又は光線を受信することによってカードに対して電力を供給する受信手段と、前記受信手段が供給した電力に基づいて動的な稼働を行う稼働手段とを有するカードである。
【０００７】
請求項２の発明は、
発信手段が供給する電力を受信することによってカードに対して電力を供給する受信手段と、前記受信手段が供給した電力に基づいて動的な稼働を行う稼働手段とを有するカードである。
【０００８】
請求項３の発明は、
前記動的な稼働として、発光、点滅、文字或いは図形の表示、音声発信又は振動のいずれかを含むカードである。
【０００９】
請求項４の発明は、
前記動的な稼働として発光、点滅、又は文字或いは図形の表示を行う際には、前記稼働手段は、発光ダイオード或いは電子ペーパーであって、前記発光ダイオード或いは電子ペーパーを発光、点滅、又は文字或いは図形の表示を行うことによって動的な稼働を行うカードである。
【００１０】
請求項５の発明は、
前記動的な稼働として音声発信を行う際には、前記稼働手段は、小型スピーカーであって、前記小型スピーカーから音声発信を行うことによって動的な稼働を行うカードである。
【００１１】
請求項６の発明は、
前記動的な稼働として振動を行う際には、前記稼働手段は、極小振動モーターであって、前記極小振動モータを振動させることによって動的な稼働を行うカードである。
【００１２】
請求項９の発明は、
請求項１から請求項８のいずれかに記載のカードを稼働させる為のカードシステムであって、電磁波、音波又は光線の発信制御を行う制御装置と、前記制御装置に基づいて、電磁波、音波又は光線の発信を行う発信装置とを有するカードシステムである。
【００１３】
請求項１０の発明は、
請求項１から請求項８のいずれかに記載のカードを稼働させる為のカードシステムであって、前記カードと接触することにより供給する電力の制御を行う制御装置と、前記カードと接触することにより前記カードに対して電力を供給する発信装置とを有するカードシステムである。
【００１４】
請求項１から請求項６、請求項９及び請求項１０に記載の発明によって、カードを保有するカード保有者が店舗等の内部、周辺に位置することによって、カードが電磁波、音波、光線等を受信しそれによってカードが点滅する、音を発生する、振動等する。これらの動的な稼働によって、カード保有者は、当該店舗でカードが利用できることを認識できる為、従来のように予めカードを利用できる店舗であるか否かを把握していなくても良いこととなる。
【００１５】
請求項７の発明は、
前記カードは、前記受信手段に於いて更に識別情報を受信し、受信した識別情報に基づいて前記稼働手段の動作の有無又は動作パターンを指示する信号を発する指令手段を有するカードである。
【００１６】
本発明によって、カードが動的な稼働を行い、カード保有者に対して告知を行う際に、様々なパターンによる稼働が可能となる。これによって、例えばあるチェーン店舗のポイントカードでは動作パターンＡによって稼働し、クレジットカードを利用できる店舗では動作パターンＢによって稼働する等のように、利用できるカード機能の判別も可能となる。
【００１７】
請求項８の発明は、
前記カードを接触又は非接触で読み取り／書き込む為の設定用装置から受信した情報に基づいて、前記指令手段の動作の有無又は動作パターンの変更を行う設定内容変更手段を有するカードである。
【００１８】
請求項１１の発明は、
前記カードシステムは、前記カードの動作の有無、動作パターンの変更を前記カードに行わせる設定用装置を有するカードシステムである。
【００１９】
請求項８及び請求項１１の発明によって、上記のような動作パターンの変更を任意に行うことが出来、カード保有者の好みに合わせることが可能となる。
【００２０】
【発明の実施の形態】
本発明のカード１０及びカードシステム１のシステム構成の一例を図１及び図２のシステム構成図を用いて詳細に説明する。
【００２１】
カード１０を動的に稼働させる為のカードシステム１は、店舗等に設置されており、発信装置３及び制御装置２とを有する。
【００２２】
発信装置３は、カード１０本体に対して電磁波、音波又は光線等のカード１０に対する電力供給となる発信を行う装置であり、制御装置２（後述）によって予め定められた出力と出力方向（例えば店舗の入り口に発信装置３が具備されている場合には入り口から半径１メートル以内が効力範囲となるように、レジに発信装置３が具備されている場合にはレジから半径１メートル以内が効力範囲となるように等）に対してその発信を行う。電磁波等を発信する出力方向に指向性を持たせたり、反射板や防壁等を備えることによるその出力の変動や、雨や霧等の自然条件、店内のインテリアや装飾といったような人為的条件等によって、あいまいな範囲であっても良い。又発信装置３は上記のように非接触型ではなく、接触型であっても良い。即ち発信装置３にカード１０が接触、挿入等させることによって発信装置３からカード１０に対して電力を供給しても良い。
【００２３】
制御装置２は、発信装置３から発信する電磁波、音波又は光線の発信を制御する装置であって、例えば発信する媒体を電磁波、その出力を１０ワット、出力方向を同心円上にする等を制御する。このような制御を受けて、発信装置３は電磁波を出力１０ワットで発信装置３から同心円上に発信することとなる。
【００２４】
カード１０は、カード保有者が有するクレジットカード、デビットカード、電子マネーカード、店舗等の会員カードであれば良く、好ましくはＩＣチップを具備するＩＣカードであるが、磁気カードであっても良い。カード１０は、受信手段１１と稼働手段１２とを有している。
【００２５】
受信手段１１は、カード１０が非接触型である場合には、カードシステム１の発信装置３から発信された電磁波、音波又は光線を受信しカード１０に対して電力を供給する手段である。例えば電磁波を受信する場合には受信手段１１としてアンテナ等があり、カード１０が磁場の影響を受けると電磁誘導の原理でアンテナ（受信手段１１）に電力が発生し、それをカード１０に対して供給することとなる。又音波や光線等を受信することによって電力を供給しても良い。又カード１０が接触型である場合には、発信装置３にカード１０が接触又は挿入等させることによって、発信装置３から電力の供給を受けカード１０に対して電力を供給する手段である。
【００２６】
稼働手段１２は、受信手段１１が供給した電力に基づいて、カード保有者に対して動的な稼働を行う手段である。例えば動的な稼働として、発光、点滅、又は文字或いは図形の表示を行う際には、稼働手段１２として発光ダイオード或いは電子ペーパーであり、動的な稼働として音声発信を行う際には稼働手段１２として小型スピーカーであり、動的な稼働として振動を行う際には稼働手段１２として極小振動モーターであることが好適である。
【００２７】
【実施例】
次に本発明のプロセスの流れの一例を図３のフローチャート図を用いて詳細に説明する。尚、本実施例に於いてはカードシステム１ａから受信した電磁波、音波又は光線等によって、カード１０ａが動的な稼働を行い、告知を行う場合の最もシンプルな場合を説明する。
【００２８】
店舗等の担当者は、カードシステム１ａを店舗内又は店舗外に設置し発信装置３から発信する電磁波、音波又は光線（電磁波等）の発信媒体、その出力、出力方向等を制御装置２に於いて設定する（Ｓ１００）。又非接触型ではなく、接触型でカード１０ａに対して電力を供給する場合にはその設定を行う。
【００２９】
制御装置２の設定後、発信装置３はＳ１００で設定された設定に基づいて電磁波等の発信を行う（Ｓ１１０）。カード保有者がカード１０ａを保有して前記設定したその効力範囲内に入ると、カード１０ａの受信手段１１が電磁波等を受信する（Ｓ１２０）。
【００３０】
Ｓ１２０の受信によって、受信手段１１がカード１０ａに対して電力を供給する。カード１０ａが接触型である場合には、発信装置３にカード１０ａが接触又は挿入等されることによって受信手段１１がカード１０ａに対して電力を供給する。
【００３１】
受信手段１１が供給した電力に基づいて稼働手段１２は動的な稼働を行い、カード１０ａが利用できることをカード保有者に対して告知する（Ｓ１３０）。動的な稼働として発光、点滅、又は文字或いは図形の表示を行う際には、稼働手段１２として発光ダイオード或いは電子ペーパーであって、発光ダイオード或いは電子ペーパーが発光、点滅、又は文字或いは図形の表示を行い、動的な稼働として音声発信を行う際には、稼働手段１２として小型スピーカーであって、小型スピーカーが何らかの音の発信を行う。又動的な稼働として振動を行う際には、稼働手段１２として極小振動モーターであって、極小振動モーターが振動をすることによって、カード１０ａ保有者に対してカード１０ａが利用できることを告知することとなる。
【００３２】
【実施例２】
次にカード１０ｂが動的な稼働を行う際に、その動作の有無や動作パターンを変更する場合もある。例えば複数の機能を有するカード１０ｂ、例えばあるチェーン店舗のポイントカードとクレジットカードとが組み合わさっている場合、チェーン店舗のポイントカードが利用できる場合には動作パターンＡ、単にクレジットカードが利用できる場合には動作パターンＢを行う、等のように、カード１０ｂの動的な稼働に変化を付ける場合を説明する。尚実施例１と同一部分については簡略化の為、説明を省略する。
【００３３】
カードシステム１ａの発信装置３は、カード１０ｂ本体に対して電磁波、音波又は光線等のカード１０ｂに対する電力供給となる発信を行う他に、識別情報を併せて発信する装置である。上記のように、カード１０ｂとしてあるチェーン店舗のポイントカードとクレジットカードとが組み合わさっている場合、チェーン店舗のポイントカードが利用できる場合には動作パターンＡ、単にクレジットカードが利用できる場合には動作パターンＢを行うことが予め定められている場合に、チェーン店舗は識別情報１を発信装置３から発信しており、クレジットカードが利用できる場合には識別情報２を発信装置３から発信している。この識別情報は任意にカードシステム１ａ全体として設定することが可能であるが、識別情報及び動作パターンは重複をしないことが好ましい。カード保有者の混乱を招かない為である。
【００３４】
カード１０ｂは、受信手段１１と指令手段１３と稼働手段１２とを有している。受信手段１１は、カード１０ｂが非接触型である場合には、カードシステム１ａの発信装置３から発信された電磁波、音波又は光線を受信しカード１０ｂに対して電力を供給する、カード１０ｂが接触型である場合には、発信装置３にカード１０ｂが接触又は挿入等させることによって、発信装置３から電力の供給を受けカード１０ｂに対して電力を供給する装置であるほかに、発信装置３から識別情報を受信する装置でもある。
【００３５】
指令手段１３は、受信手段１１が受信した識別情報に基づいて稼働手段１２の動作の有無又は動作パターンを識別し、稼働するのか否か、稼働する場合にはどのような動作パターンで稼働を行うのかを指示する信号を稼働手段１２に対して発する手段である。従って指令手段１３は、識別情報と動作パターンとの対応関係を記憶している。図６（ａ）に対応関係の概念図を示す。上記の例では、受信手段１１が発信装置３から識別情報１を受信した場合には、指令手段１３は稼働手段１２に対して動作パターンＡを行うことを指示する信号を発し、受信手段１１が発信装置３から識別情報２を受信した場合には、指令手段１３は稼働手段１２に対して動作パターンＢを行うことを指示する信号を発することとなる。
【００３６】
稼働手段１２は、受信手段１１が供給した電力及び指令手段１３から受信した信号に基づいて動的な稼働を行う手段である。上記の例では、例えば動作パターンＡの信号を受信した場合には１秒おきの点滅を行い、動作パターンＢの信号を受信した場合には０．５秒おきの点滅を行う等のような稼働となる。又点滅等の共通した動作パターンのみならず、点滅と音の発信、点滅と振動、音の発信と振動とのように複数の動的な稼働を組み合わせても良い。
【００３７】
以下にこのような場合のプロセスの流れの一例を図４のフローチャート図を用いて詳細に説明する。店舗等の担当者は、カードシステム１ａを店舗内又は店舗外に設置し発信装置３から発信する電磁波、音波又は光線（電磁波等）の発信媒体、その出力、出力方向等を制御装置２に於いて設定する（Ｓ２００）。又非接触型ではなく、接触型でカード１０ｂに対して電力を供給する場合にはその設定を行う。この設定の際に、自らの店舗等がどの識別情報を発信するのか、即ち店舗等に於いてカード保有者がカード１０ｂの、どの機能を利用することが出来るのかの設定も併せて行う（Ｓ２１０）。例えばポイントカードが利用できる、クレジットカードが利用できる等の設定を行うこととなる。
【００３８】
例えば、カード１０ｂとしてあるチェーン店舗のポイントカードとクレジットカードとが組み合わさっている場合であって、チェーン店舗のポイントカードが利用できる場合には動作パターンＡ、単にクレジットカードが利用できる場合には動作パターンＢを行うことが予め定められている場合に、当該店舗等がポイントカードを利用できる店舗であれば識別情報１の設定を、当該店舗等がクレジットカードを利用できる店舗であれば識別情報２の設定を行う。
【００３９】
制御装置２の設定後、発信装置３はＳ２００及びＳ２１０で設定された設定に基づいて電磁波等及び識別情報の発信を行う（Ｓ２２０）。カード保有者がカード１０ｂを保有して前記設定したその効力範囲内に入ると、カード１０ｂの受信手段１１が電磁波等及び識別情報を受信する（Ｓ２３０）。従って上記例では、チェーン店舗は識別情報１を発信装置３から発信しており、クレジットカードが利用できる場合には識別情報２を発信装置３から発信している。
【００４０】
Ｓ２３０の受信によって、受信手段１１がカード１０ｂに対して電力を供給する。カード１０ｂが接触型である場合には、発信装置３にカード１０ｂが接触又は挿入等されることによって受信手段１１がカード１０ｂに対して電力を供給する。
【００４１】
又Ｓ２３０の受信の際に受信手段１１は識別情報を併せて受信し、指令手段１３は、受信手段１１が受信した識別情報に基づいて稼働手段１２の動作の有無又は動作パターンを識別し、稼働するのか否か、稼働する場合にはどのような動作パターンで稼働を行うのかを指示する信号を稼働手段１２に対して発する（Ｓ２４０）。従って上記例では、受信手段１１が発信装置３から識別情報１を受信した場合には、指令手段１３は稼働手段１２に対して動作パターンＡを行うことを指示する信号を発し、受信手段１１が発信装置３から識別情報２を受信した場合には、指令手段１３は稼働手段１２に対して動作パターンＢを行うことを指示する信号を発することとなる。又稼働手段１２が動作しなくて良いことを示す識別情報であった場合には、そのまま稼働手段１２に対して何らの信号を発することなく終了する。
【００４２】
受信手段１１が供給した電力及び指令手段１３から受信した信号に基づいて稼働手段１２は動的な稼働を行い、カード１０ｂが利用できることをカード保有者に対して告知する（Ｓ２５０）。この動的な稼働の際には、上記例では、例えば動作パターンＡの信号を受信した場合には１秒おきの点滅を行い、動作パターンＢの信号を受信した場合には０．５秒おきの点滅を行う等のような稼働となる。又点滅等の共通した動作パターンのみならず、点滅と音の発信、点滅と振動、音の発信と振動とのように複数の動的な稼働を組み合わせても良い。
【００４３】
このような動的な稼働を行う装置としては実施例１と同様に、動的な稼働として発光、点滅、又は文字或いは図形の表示を行う際には、稼働手段１２として発光ダイオード或いは電子ペーパーであって、発光ダイオード或いは電子ペーパーが発光、点滅、又は文字或いは図形の表示を行い、動的な稼働として音声発信を行う際には、稼働手段１２として小型スピーカーであって、小型スピーカーが何らかの音の発信を行う。又動的な稼働として振動を行う際には、稼働手段１２として極小振動モーターであって、極小振動モーターが振動をすることによって、カード保有者に対してカード１０ｂが利用できることを告知することとなる。
【００４４】
【実施例３】
次に、実施例２のカード１０ｃに於ける稼働手段１２の動作の有無や動作パターンの変更を行うことが出来る設定用装置４をカードシステム１ｂに更に具備した場合を説明する。尚実施例１又は実施例２と重複する部分については簡略化の為説明を省略する。
【００４５】
カードシステム１ｂは、実施例１及び実施例２のカードシステム１ａに加えて、設定用装置４を更に具備している。
【００４６】
設定用装置４は、カード１０ｃを接触又は非接触で読み取り／書込を行える装置であって、カード１０ｃに於ける動作の有無や動作パターンの変更を行わせる装置である。例えば指令手段１３が記憶している識別情報と動作パターンの対応関係を変更する等により、動作の有無や動作パターンの変更を行わせる。設定用装置４はカード保有者が接触、挿入又は非接触させやすくする為に、店舗等内のレジ周辺や入り口周辺等の空間や店舗等内の空きスペースに設置することが好適である。
【００４７】
カード１０ｃは、実施例１又は実施例２のカードシステム１ｂに加えて、設定内容変更手段１４を有している。設定内容変更手段１４は、設定用装置４から受信手段１１が受信したカード１０ｃの動作の有無や動作パターンの変更を行う。例えば指令手段１３が記憶している識別情報と動作パターンとの対応関係を変更する。
【００４８】
以下にこのような場合のプロセスの流れの一例を図５のフローチャート図を用いて詳細に説明する。
【００４９】
設定内容の変更を行うことを希望するカード保有者は、カード１０ｃをカードシステム１ｂの設定用装置４に接触、挿入又は非接触で読み取らせる（Ｓ３００）。カード１０ｃを読み取った設定用装置４に対してカード保有者は変更する設定内容を入力する。例えばクレジットカードが利用できる店舗等の場合には動作パターンＣを、ポイントカードが利用できる店舗等の場合には動作パターンＤを行うとのように変更する（Ｓ３１０）。又Ｓ３００とＳ３１０との順番は任意であり、逆の順番で行われても良い。更にＳ３１０を行わずにＳ３００のみであっても良い。つまり、カード保有者が設定内容の入力を行わずに、設定用装置４にカード１０ｃを読み取らせることによって、設定用装置４が予め保持している設定内容が選択・適用されても良い。この場合には設定用装置４には予め設定内容が設定されていることとなる。
【００５０】
この変更を設定用装置４は受け付け、カード１０ｃの設定内容変更手段１４に接触又は非接触で送信する。設定用装置４から送信された設定内容の変更は、カード１０ｃの受信手段１１で受信をし、その変更内容に従って設定内容変更手段１４が指令手段１３に於ける、識別情報と動作パターンとの対応関係を変更する。図６（ａ）の対応関係を本実施例３を用いて変更した場合の概念図を図６（ｂ）に示す。
【００５１】
以上のようなプロセスを経ることによって、変更前は識別情報１を受信した場合には動作パターンＡ、識別情報２を受信した場合には動作パターンＢの動作を行っていたのが、変更後は識別情報１を受信した場合には動作パターンＣ、識別情報２を受信した場合には動作パターンＤの動作をカード１０ｃの稼働手段１２が行うこととなる。
【００５２】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【００５３】
尚、本発明を実施するにあたり本実施態様の機能を実現するソフトウェアのプログラムを記録した記録媒体をシステムに供給し、そのシステムのコンピュータが記録媒体に格納されたプログラムを読み出し実行することによって実現されることは当然である。
【００５４】
この場合、記録媒体から読み出されたプログラム自体が前記した実施態様の機能を実現することとなり、そのプログラムを記録した記録媒体は本発明を当然のことながら構成することになる。
【００５５】
プログラムを供給する為の記録媒体としては、例えば磁気ディスク、ハードディスク、光ディスク、光磁気ディスク、磁気テープ、不揮発性のメモリカード等を利用することができる。
【００５６】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００５７】
更に、記録媒体から読み出されたプログラムが、コンピュータに挿入された機能拡張ボードやコンピュータに接続された機能拡張ユニットに備わる不揮発性あるいは揮発性の記録手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００５８】
【発明の効果】
本発明によって、従来のようにカード保有者がカードを利用できる店舗等を予め認識していなくとも、店舗等の内部又は周辺にカード保有者が位置する場合には、カードが利用できることをカード本体がカード保有者に対して動的に稼働するカード及びそれを機能させる為のカードシステムが可能となる。これによって、カード保有者がカードを利用できることを知らない為に、店舗での購入を断念していた場合であっても、カード自体がカード保有者に対してカードが利用できることを動的に告知する為に、店舗等がカード保有者に対して販売機会を喪失することが減少する。
【図面の簡単な説明】
【図１】本発明のカードシステムのシステム構成図である。
【図２】本発明のカードのシステム構成図である。
【図３】本発明のプロセスの流れの一例を示したフローチャート図である。
【図４】本発明のプロセスの流れの他の一例を示したフローチャート図である。
【図５】本発明のプロセスの流れの他の一例を示したフローチャート図である。
【図６】動作パターンと識別情報との対応関係を示した概念図である。
【符号の説明】
１：カードシステム
２：制御装置
３：発信装置
４：設定用装置
１０：カード
１１：受信手段
１２：稼働手段
１３：指令手段
１４：設定内容変更手段
【図１】
2004054309.tif 000003
【図２】
2004054309.tif 000004
【図３】
2004054309.tif 000005
【図４】
2004054309.tif 000006
【図５】
2004054309.tif 000007
【図６】
2004054309.tif 000008